【事件の表示】
　特願２０１４−　５９９９７「機械可読ドットパターン」拒絶査定不服審判事件〔平成２６年　９月２５日出願公開、特開２０１４−１７９１０４〕について、次のとおり審決する。
【結　論】
　本件審判の請求は、成り立たない。
【理　由】
第１ 手続の経緯
　本願は，平成２２年１２月９日に出願した特願２０１０−２７４３１３号の一部を平成２５年４月８日に新たな特許出願とした特願２０１３−８００６０号の一部を平成２６年３月２４日に新たな特許出願としたものであって，平成２７年３月２３日付けで拒絶の理由が通知され、これに対して、平成２７年５月２６日に意見書及び手続補正書が提出されたが、平成２７年９月１日付けで拒絶査定がなされ、同査定の謄本は同年９月８日に請求人に送達された。これに対して、同年１２月８日に拒絶査定不服審判の請求がなされると共に同日付けで手続補正書が提出され、、同年１２月１７日付けで上申書が提出され、平成２８年１月２６日付けで面接記録が作成され、平成２８年１月２７日付けで前置報告書が作成されたものである。
第２ 平成２７年１２月８日にされた手続補正についての補正の却下の決定
［補正の却下の決定の結論］
平成２７年１２月８日にされた手続補正（以下、「本件補正」という。）を却下する。
［理由］
１． 本件補正について
（１）本件補正により、特許請求の範囲は、次のとおり補正された（下線部は補正箇所である。）。
「【請求項１】
　映像が表示される少なくとも所定のフレーム中の全領域または１以上の所定領域に、複数のドットを所定規則に基づいて配置した、表示装置を用いて表示させる機械可読ドットパターンであって、
　前記所定領域は所定の
文字および／または絵柄
前記ドットパターンは、該文字および／または絵柄に対応する領域に配置され、
　前記ドットパターンは、所定のフレーム間隔で、所定のフレーム数だけ表示される、機械可読ドットパターン。
　　【請求項２】
　前記ドットのそれぞれが、当該ドットのそれぞれの周辺画素領域との間で識別可能なコントラスト制御領域を備えている、請求項
１記
　　【請求項３】
　前記ドットのそれぞれが、当該ドットのそれぞれの周辺画素領域の画素色から当該ドットの画素色まで徐々に画素色が変化するアンチエリアシング領域を備えている、
　請求項
１記
　　【請求項４】
　前記所定のフレーム間隔および前記所定のフレーム数は、前記表示装置に映像が３０フレーム／秒で映像表示される場合には、１０〜３０フレームに付き１〜２フレーム、前記映像が６０フレーム／秒で映像表示される場合には、２０〜６０フレームに付き１〜４フレームである、請求項
１記
　　【請求項５】
　前記所定のフレーム間隔は、第１のフレームでは前記ドットパターンを表示し、第２のフレームでは該ドットパターンのみを非表示とし、第１のフレームと第２のフレームが交互に表示される、請求項
１記
　　【請求項６】
　前記表示装置に映像が３０フレーム／秒で表示される場合には、前記第１のフレームのフレーム数は１〜２フレームで、前記第２のフレームのフレーム数は１０〜３０フレームで映像が表示され、
　前記表示装置に映像が６０フレーム／秒で表示される場合には、前記第１のフレームのフレーム数は１〜４フレームで、前記第２のフレームのフレーム数は２０〜６０フレームで映像が表示さる、請求項
５
　　【請求項７】
　請求項１〜
６
　　【請求項８】
　前記機械可読ドットパターンを解析し、該機械可読ドットパターンに定義された
ＸＹ座標またはコード情報の少なくとも１つに対応する
　　【請求項９】
　復号された前記情報を出力する出力手段をさらに備えた、請求項
８
　　【請求項１０】
　請求項１〜
６
機械可読ドットパターンの読取方法。
　　【請求項１１】
　さらに、前記機械可読ドットパターンを解析し、
　該機械可読ドットパターンに定義された
ＸＹ座標またはコード情報の少なくとも１つに対応する
　　【請求項１２】
　請求項１〜６のいずれかに記載の機械可読ドットパターンを読み取り、
　前記機械可読ドットパターンを解析し、
　該機械可読ドットパターンに定義された
ＸＹ座標またはコード情報の少なくとも１つに対応する
　復号された前記情報を出力する、
機械可読ドットパターンを用いた情報処理方法。
　　【請求項１３】
　請求項１〜
６
　　【請求項１４】
　請求項１〜
６
　　【請求項１５】
　請求項１〜
６
　　【請求項１６】
　請求項１〜
６
　　【請求項１７】
　請求項１〜
６
　　【請求項１８】
　請求項１〜
６
　　【請求項１９】
　請求項１〜
６
（２）本件補正前の、平成２７年５月２６日付の手続補正による特許請求の範囲の記載は次のとおりである。
「【請求項１】
　映像が表示される少なくとも所定のフレーム中の全領域または１以上の所定領域に、複数のドットを所定規則に基づいて配置した、表示装置を用いて表示させる機械可読ドットパターンであって、
　前記所定領域は所定の画像領域であり、
　前記ドットパターンは、所定のフレーム間隔で、所定のフレーム数だけ表示される、機械可読ドットパターン。
　　【請求項２】
　映像が表示される少なくとも所定のフレーム中の全領域または１以上の所定領域に、複数のドットを所定規則に基づいて配置した、表示装置を用いて表示させる機械可読ドットパターンであって、
　前記ドットパターンには、ＸＹ座標、または、ＸＹ座標およびコード情報が定義されており、
　前記ドットパターンは、所定のフレーム間隔で、所定のフレーム数だけ表示される、機械可読ドットパターン。
　　【請求項３】
　前記ドットのそれぞれが、当該ドットのそれぞれの周辺画素領域との間で識別可能なコントラスト制御領域を備えている、請求項１または２記載の機械可読ドットパターン。
　　【請求項４】
　前記ドットのそれぞれが、当該ドットのそれぞれの周辺画素領域の画素色から当該ドットの画素色まで徐々に画素色が変化するアンチエリアシング領域を備えている、
　請求項１または２記載の機械可読ドットパターン。
　　【請求項５】
　前記所定のフレーム間隔および前記所定のフレーム数は、前記表示装置に映像が３０フレーム／秒で映像表示される場合には、１０〜３０フレームに付き１〜２フレーム、前記映像が６０フレーム／秒で映像表示される場合には、２０〜６０フレームに付き１〜４フレームである、請求項１または２記載の機械可読ドットパターン。
　　【請求項６】
　前記所定のフレーム間隔は、第１のフレームでは前記ドットパターンを表示し、第２のフレームでは該ドットパターンのみを非表示とし、第１のフレームと第２のフレームが交互に表示される、請求項１または２記載の機械可読ドットパターン。
　　【請求項７】
　前記表示装置に映像が３０フレーム／秒で表示される場合には、前記第１のフレームのフレーム数は１〜２フレームで、前記第２のフレームのフレーム数は１０〜３０フレームで映像が表示され、
　前記表示装置に映像が６０フレーム／秒で表示される場合には、前記第１のフレームのフレーム数は１〜４フレームで、前記第２のフレームのフレーム数は２０〜６０フレームで映像が表示さる、請求項６記載の機械可読ドットパターン。
　　【請求項８】
　請求項１〜７のいずれかに記載の機械可読ドットパターンを読み取るためのカメラを備える機械可読ドットパターン情報端末。
　　【請求項９】
　前記機械可読ドットパターンを解析し、該機械可読ドットパターンに定義された情報を復号する解析手段をさらに備えた、請求項８記載の機械可読ドットパターン情報端末。
　　【請求項１０】
　復号された前記情報を出力する出力手段をさらに備えた、請求項９記載の機械可読ドットパターン情報端末。
　　【請求項１１】
　請求項１〜７のいずれかに記載の機械可読ドットパターンを読み取る、
機械可読ドットパターンの読取方法。
　　【請求項１２】
　さらに、前記機械可読ドットパターンを解析し、
　該機械可読ドットパターンに定義された情報を復号する、請求項１１記載の機械可読ドットパターンの読取方法。
　　【請求項１３】
　請求項１〜７のいずれかに記載の機械可読ドットパターンを読み取り、
　前記機械可読ドットパターンを解析し、
　該機械可読ドットパターンに定義された情報を復号し、
　復号された前記情報を出力する、
機械可読ドットパターンを用いた情報処理方法。
　　【請求項１４】
　請求項１〜７のいずれかに記載の機械可読ドットパターンを読み取る処理を実行させるための機械可読ドットパターン読取プログラム。
　　【請求項１５】
　請求項１〜７のいずれかに記載の機械可読ドットパターンを表示するための表示装置。
　　【請求項１６】
　請求項１〜７のいずれかに記載の機械可読ドットパターンを含む画像を生成するための画像生成装置。
　　【請求項１７】
　請求項１〜７のいずれかに記載の機械可読ドットパターンを含む画像を生成させるための画像生成プログラム。
　　【請求項１８】
　請求項１〜７のいずれかに記載の機械可読ドットパターンを含む画像の生成方法。
　　【請求項１９】
　請求項１〜７のいずれかに記載の機械可読ドットパターンを含む画像を放送するための放送装置。
　　【請求項２０】
　請求項１〜７のいずれかに記載の機械可読ドットパターンを含む画像を配信するための配信装置。」
　
２．新規事項について
　本件補正前の請求項１の「前記所定領域は所定の画像領域であり、」という記載を「前記所定領域は所定の文字および／または絵柄であり、前記ドットパターンは、該文字および／または絵柄に対応する領域に配置され、」と補正しており、特許法第１７条の２第５項第２号の、特許請求の範囲の減縮を目的とする補正に該当している。
　この補正は、図９および明細書の段落００８６「画像３０１の一部領域にのみドットマトリクス１０２を分布する構成としてもよい。」という記載を根拠として行われた。
　しかし、明細書の段落００８６「画像３０１の一部領域にのみドットマトリクス１０２を分布する構成としてもよい。」という記載では、単に「画像３０１の一部領域にのみドットマトリクス１０２を分布する」ことしか開示されておらず、その「一部領域」がどんな領域であるのか記載も示唆もなく、「ドットパターン」が「文字および／または絵柄に対応する領域に配置され」ることについては、何ら開示されていない。さらに、審判請求人は、審判請求書において、「例えば、図９では、役者が表示されている領域
のみ
のみ
のみ
　また、「ドットパターン」が「文字に対応する領域に配置され」ることについては、本願の明細書及び図面に何ら記載も示唆もない。
　明細書の段落００８６「画像３０１の一部領域にのみドットマトリクス１０２を分布する構成としてもよい。」という記載では、「一部領域」に「画像中の予め固定された領域」も包含されるから、画像中の予め固定された領域のみにドットマトリクス１０２を分布する構成も包含されているといえる。
　したがって、ドットパターンを、「文字および／または絵柄に対応する領域に配置」することは、本願の発明の詳細な説明及び図面に記載も示唆もされておらず、また、本願の発明の詳細な説明及び図面の記載から当業者が自明に導き出せるものでもない。
　よって、この補正は、新規事項を追加するものであり、本件補正は、当初明細書等に記載した事項の範囲内においてしたものではないから、特許法第１７条の２第３項の規定に適合しない。
３．むすび
　したがって、本件補正は、当初明細書等に記載した事項の範囲内においてしたものではないから、特許法第１７条の２第３項の規定に違反するので同法第１５９条第１項において読み替えて準用する同法第５３条第１項の規定により却下すべきものである。
第３ 本願発明の特許要件についての検討
１．本願発明
　平成２７年１２月８日にされた手続補正による補正は上記のとおり却下されたので，本願の請求項１に係る発明（以下、「本願発明」という。）は、平成２７年５月２６日付手続補正書の特許請求の範囲の請求項１に記載された事項により特定される、上記第２　１（２）に前述した以下のとおりのものである。
「【請求項１】
　映像が表示される少なくとも所定のフレーム中の全領域または１以上の所定領域に、複数のドットを所定規則に基づいて配置した、表示装置を用いて表示させる機械可読ドットパターンであって、
　前記所定領域は所定の画像領域であり、
　前記ドットパターンは、所定のフレーム間隔で、所定のフレーム数だけ表示される、機械可読ドットパターン。」
２．引用例
（１）　引用例１
　原査定の拒絶の理由に引用文献１として引用された特開２００９−２８２４３１号公報（以下、「引用例１」という。）には、図面とともに、以下の事項が記載されている。（下線は当審で付加した。）
ア「【技術分野】
　【０００１】
　本発明は、１台以上の
画像表示装置を制御するための技術
イ「【発明が解決しようとする課題】
　【０００５】
　しかしながら、従来においては、プロジェクタによって２次元コードを投射表示する場合、既に、プロジェクタによって何らかの画像（コンテンツ）を投射表示している際に、同じ投射画面上に、２次元コードを表示しようとすると、ユーザが本来表示したい画像（コンテンツ）が、表示した２次元コードによって、隠れてしまうという問題があった。
　なお、この種の問題は、プロジェクタに限らず、テレビやモニタなど他の画像表示装置を用いた場合でも、同様に発生し得る問題である。
　【０００６】
　従って、本発明の目的は、上記した従来技術の問題点を解決し、
ユーザが本来表示したい画像の表示を損なうことなく、２次元コードを表示させる技術を提供する
ウ「【００１１】
［適用例４］
　適用例３に記載の画像表示装置において、前記
画面に
画像を表示する際、ｎ（ｎは６０以上）フレームに、１フレームの割合で、前記特定画像を表示することを特徴とする画像表示
　このようなタイミングで特定画像を表示するようにすれば、通常、人間の目視で認識することはできないからである。」
エ「【００９３】
Ｅ．第５の実施例：
　上記した第５の実施例では、人間の目視で認識できない赤外光を投射光として、コンテンツ用２次元コード画像を投射表示することによって、コンテンツ画像の表示を損なうことなく、２次元コードを投射表示させるようにしていたが、人間の目視で認識できないタイミングでコンテンツ用２次元コード画像を表示することによっても、コンテンツ画像の表示を損なうことなく、２次元コードを表示させることができる。
　【００９４】
　そのような実施例を第５の実施例として説明する。なお、本実施例におけるプロジェクタの構成は、図２に示した第１の実施例の場合とほぼ同様であるので、それらについての説明は省略する。
　【００９５】
　なお、本実施例において、プロジェクタ２００は、請求項における画像表示装置に相当する。
　【００９６】
　Ｅ−１．実施例の動作：
　本実施例のプロジェクタ２００において、コンテンツ画像を投射表示する際には、ＰＣ１００から伝送されたコンテンツ画像データを、ネットワークインタフェース部２３０を介して受信し、画像処理回路２４２によって、所望の画像処理を施した後、画像重畳回路２４４に出力する。
　【００９７】
　画像重畳回路２４４では、コンテンツ用２次元コード格納部２２２から、コンテンツ用２次元コードを読み出し、コンテンツ用２次元コード画像データとして、入力されたコンテンツ画像データに、図１６に示すようなタイミングで差し入れる。
　【００９８】
　図１６は本発明の第５の実施例において、コンテンツ画像データにコンテンツ用２次元コード画像データを差し入れるタイミングを説明するための説明図である。すなわち、
コンテンツ画像データが、
時間的に連続する多数のフレームにて構成されている場合に、６０フレームに１フレームの割合で、コンテンツ用２次元コード画像データを差し入れる
　【００９９】
　画像重畳回路２４４は、このようなタイミングで、コンテンツ画像データに、コンテンツ用２次元コード画像データを次々に差し入れ、差し入れ後のコンテンツ画像データを出力する。
　【０１００】
　画像切換回路２４６は、画像重畳回路２４４からのコンテンツ画像データを、液晶パネル駆動回路２４８に出力し、液晶パネル駆動回路２４８は、そのコンテンツ画像データに基づいて、液晶パネル２６０にコンテンツ画像を表示する。この結果、プロジェクタは、スクリーンに、ＰＣ１００から伝送されたコンテンツ画像を投射表示する。但し、このコンテンツ画像には、６０フレームに１フレームの割合で、差し込まれたコンテンツ用２次元コード画像が表示されることになるが、通常、画像は１秒間に６０フレームが表示されることになるため、６０フレームに１フレームの割合で差し込まれたコンテンツ用２次元コード画像は、人間の目視によって認識することができない。
　【０１０１】
　なお、
ＰＣ１００側では、
リモコン１５０内蔵のカメラ１５２によって撮像して得られた撮像画像データに対し、２次元コードが含まれているかどうかをＣＰＵ１１０がチェックする
コンテンツ用２次元コードを検出する
　【０１０２】
　Ｅ−２．実施例の効果：
　以上説明したように、本実施例によれば、人間の目視で認識できないタイミングでコンテンツ用２次元コード画像を投射表示することによって、ユーザが本来表示したいコンテンツ画像の表示を損なうことなく、２次元コードを投射表示させることができる。」
オ　図１６では、
山と雲の画像を含む６０フレームからなるコンテンツ画像
差し入れられるフレームには、左下の領域に２次元コード
が表示されている
　以上のア〜オの記載によれば、引用例１には以下の事項を含む発明（以下「引用例１発明」という。）が開示されていると認められる。
「画像表示装置を制御するための技術であって、
ユーザが本来表示したい画像の表示を損なうことなく、２次元コードを表示させる技術を提供するため、
山と雲の画像を含むコンテンツ画像データが、時間的に連続する多数のフレームにて構成されている場合に、６０フレームに１フレームの割合で、コンテンツ用２次元コード画像データを差し入れられており、
差し入れられるフレームには、左下の領域に２次元コードが表示されてており、
ＰＣ１００側では、リモコン１５０内蔵のカメラ１５２によって撮像して得られた撮像画像データに対し、２次元コードが含まれているかどうかをＣＰＵ１１０がチェックして、コンテンツ用２次元コードを検出する
画像表示装置制御技術」
（２）引用例２
　原査定の拒拒絶の理由に引用文献２として引用された特開２００６−１２８９００号公報（以下、「引用例２」という。）には、図面とともに、以下の事項が記載されている。（下線は当審で付加した。）
ア「【技術分野】
　【０００１】
　本発明は、
ＱＲコード
等の幾何学形状コードが挿入された映像信号を出力するための映像信号出力装置
イ「【発明が解決しようとする課題】
　【０００３】
　発明者の検討によれば、テレビ、パーソナルコンピュータのモニタ、カーナビゲーション装置のディスプレイ等、時間的に連続する映像信号に基づいた映像を表示する表示装置に、上記の幾何学形状コードを表示させ、上記のような携帯電話機にその幾何学形状コードの撮影、解読、表示を行わせることが考えられる。
　【０００４】
　しかし、幾何学形状コードが表示画面上に表示されれば、その分他の情報の表示領域が減ってしまうという問題がある。
　【０００５】
　本発明は上記点に鑑み、時間的に連続する映像信号に基づいて表示を行う表示装置に、他の情報表示の邪魔にならないように、幾何学形状コードを表示させる技術を提供することを第１の目的とし、また、そのように表示された幾何学形状コードを撮影および解読する技術を提供することを第２の目的とする。
【課題を解決するための手段】
　【０００６】
　上記第１の目的を達成するための、本発明の第１の特徴は、
映像信号出力装置が、コード化元データから幾何学形状コードを生成し、また時間的に連続する映像信号を取得し、その取得した映像信号に、上記のように生成した幾何学形状コードを、それが表示装置に表示されたときに肉眼で認識することが困難なように挿入し、そのように幾何学形状コードが挿入されることで生成されたコード入り映像信号を、表示装置に表示させるために出力する
　【０００７】
　このような映像信号出力装置が、取得した映像信号に生成した幾何学形状コードを生成することで、表示装置に表示されたときに肉眼で認識することが困難なように幾何学形状コードが挿入されたコード入り映像信号が出力される。そして、このコード入り映像信号に基づいた表示が表示装置で行われる際には、その幾何学形状コードを肉眼で認識することが困難であるがゆえ、その表示装置における他の情報表示の邪魔となることがない。
　【０００８】
　なお、ここでいう出力とは、表示装置へ直接出力すること、他の装置で表示させるために無線通信線、有線通信線、を介して送信すること、および、ＶＴＲ、ＤＶＤなどの記録媒体に出力することを含む概念である。
　【０００９】
　また、
幾何学形状コードとは、例えばＱＲコード等、文字ではない幾何学形状を含み
　【００１０】
　また、
幾何学形状コードを、それが表示装置に表示されたときに肉眼で認識することが困難なように映像信号に挿入する具体的な手法としては、時間的に連続する映像信号の、肉眼で認識することが困難である程度に短い一部時間帯部分に、生成した幾何学形状コードを挿入する
　【００１１】
　また、そのような方法を実現する一態様として、コード生成手段が生成する幾何学形状コードを挿入するタイミング部分を検出する手段を備え、その検出されたタイミング部分に、生成した幾何学形状コードを挿入するようになっていてもよい。」
ウ「【００２３】
　また、コード化元データは、そのコード化元データについての幾何学形状コードが挿入される映像信号の内容に関連したデータであってもよい。具体的には、映像信号が観光地の映像である場合、その観光地への交通アクセス情報や、その観光地近辺の宿の情報を、コード化元データとすることが考えられる。
　【００２４】
　また、
幾何学形状コードは、２次元コードであってもよい
エ「【００４６】
　以下、本発明の一実施形態について説明する。図１に、本実施形態に係る映像信号出力装置１のハードウェア構成をブロック図で示す。この映像信号出力装置１は、テキストデータ等のコード化元データからＱＲコードを生成し、取得した映像信号にそのＱＲコードを、それが表示装置に表示されたときに肉眼で認識することが困難なように挿入し、その結果の映像信号を外部に出力するための装置である。この映像信号出力装置１は、入出力インターフェース２、操作装置３、ＨＤＤ４、ＲＡＭ５、ＲＯＭ６、ＣＰＵ（コンピュータに相当する）７等を有している。
　【００４７】
　入出力インターフェース２は、カメラ等の外部からデジタルまたはアナログの映像信号の入力を受け、その受けた映像信号をデジタルデータとしてＣＰＵ７に出力する。また入出力インターフェース２は、ＣＰＵ７から受けた映像のデジタルデータを、アナログまたはデジタル信号として外部に出力する。なお、ここでいう映像信号とは、テレビ放送映像の表示のための映像信号、パーソナルコンピュータにおける表示のための映像信号、カーナビゲーション装置における表示のための映像信号等、時間的に連続する映像信号をいう。より具体的には、映像信号は、一定の時間周期で表示映像をリフレッシュさせるような形式（例えばリフレッシュレート５０Ｈｚ）となっている。映像信号が動画のための信号である場合、その映像信号は、このリフレッシュの度に表示映像が変化するようになっている。以下、このリフレッシュ毎の映像の１つ１つをコマと記す。」
オ「　【００７７】
　また、ＣＰＵ７は、図４に示すＱＲコード挿入プログラム２００を、繰り返し実行するようになっている。このＱＲコード挿入プログラム２００の実行においは、まずステップ２１０で、映像取得処理７１によって順次取得している時間的に連続した映像の、現在取得した映像データに当たるタイミングが、ＱＲコードの挿入タイミングであるか否かを判定し、ＱＲコードの挿入タイミングを検出するまで、この判定を繰り返す。その映像データのタイミングが、ＱＲコードの挿入タイミングであるか否かは、あらかじめ定められた挿入タイミングに付いての基準によって特定する。
挿入タイミングとしては、例えば映像データの複数コマ（例えば３０コマ）に１コマ、等の繰り返しタイミング
　【００７８】
　そして、ＱＲコードの挿入タイミングになると、続いてステップ２１０で、テキスト取り込み同期信号を発生させる。上述のＱＲコード出力プログラム１００は、このテキスト取り込み同期信号の発生毎に実行されるので、ＱＲコードは、ＱＲコード挿入タイミング毎に１つ生成されることになる。したがって、ＱＲコード挿入プログラム２００の繰り返し実行が続いている限り、ＣＰＵ７は、ＱＲコードを順次生成し続ける。
　【００７９】
　続いてステップ２２０では、ＱＲコード出力プログラム１００によって生成されたＱＲコードを、取得した映像データの当該挿入タイミング部分に挿入する。このとき、そのタイミングにおける映像データ中の元の映像は、破棄するものとする。すなわち、ＱＲコードは、映像信号の一部時間帯部分のデータと差し替えることで、当該映像信号の当該一部時間帯部分に挿入される。また、
挿入するＱＲコードは、表示画面いっぱいに１つ表示されるような形式で挿入してもよいし、表示画面の一部（例えば左下隅）に表示されるような形式で挿入してもよい
　以上のア〜オの記載によれば、引用例２には以下の事項を含む発明（以下「引用例２発明」という。）が開示されていると認められる。
「ＱＲコード等の幾何学形状コードが挿入された映像信号を出力するための映像信号出力装置が、コード化元データから幾何学形状コードを生成し、また時間的に連続する映像信号を取得し、その取得した映像信号に、上記のように生成した幾何学形状コードを、それが表示装置に表示されたときに肉眼で認識することが困難なように挿入し、そのように幾何学形状コードが挿入されることで生成されたコード入り映像信号を、表示装置に表示させるために出力する方法であって、
幾何学形状コードを、それが表示装置に表示されたときに肉眼で認識することが困難なように映像信号に挿入する具体的な手法としては、時間的に連続する映像信号の、肉眼で認識することが困難である程度に短い一部時間帯部分に、生成した幾何学形状コードを挿入することであり、
挿入タイミングとしては、例えば映像データの複数コマ（例えば３０コマ）に１コマ、等の繰り返しタイミングであり、
挿入するＱＲコードは、表示画面いっぱいに１つ表示されるような形式で挿入してもよいし、表示画面の一部（例えば左下隅）に表示されるような形式で挿入してもよい、
方法」
２．対比
（１）そこで、本願発明と引用例１発明とを対比する。
ア　引用例１発明は、「画像表示装置を制御するための技術」であって、「２次元コードを表示させる技術」分野に属し、「ユーザが本来表示したい画像の表示を損なうことなく、２次元コードを表示させる技術を提供する」という課題を解決している。
　一方、本願発明は、「表示装置に二次元コードの一種であるドットパターンを機械的に読み取り可能な状態で表示させるための表示フォーマット」（段落０００１）という技術分野に属し、「表示装置に表示される画像の美観を損なわない、機械可読ドットパターンの特徴的な表示フォーマットを提供することを技術的課題」（段落００１０）としている。
　ここで、引用例１発明の「画像表示装置」、「ユーザが本来表示したい画像の表示を損なうことなく」は、それぞれ、本願発明の「表示装置」、「表示される画像の美観を損なわない」に相当している。
　引用例１発明の「２次元コード」と、本願発明の「ドットパターン」とは、「機械可読」な情報である点で共通しており、互い対応しているといえる。
　したがって、引用例１発明と本願発明とは、表示装置に機械可読情報を表示させるという技術分野で共通し、さらに、表示装置に表示される画像の美観を損なわない機械可読情報の表示技術を提供するという課題で共通しているといえる。
イ　引用例１発明は、「画像表示装置を制御するための技術であ」り、「山と雲の画像を含むコンテンツ画像データが、時間的に連続する多数のフレームにて構成され」ており、「６０フレームに１フレームの割合で、コンテンツ用２次元コード画像データを差し入れ」られ、「差し入れられるフレーム」の「左下の領域に２次元コードが表示されている」。
　ここで、引用例１発明の「画像表示装置」、「山と雲の画像を含むコンテンツ画像」は、それぞれ、本願発明の「表示装置」、「映像」に相当している。
　そして、引用例１発明の「２次元コード」と、本願発明の「機械可読ドットパターン」とは、機械可読情報である点で共通しており、互いに対応しているといえる。
　また、引用例１発明の「差し入れられるフレーム」の「左下の領域」は、本願発明の「所定のフレーム」の「所定領域」に対応しているといえる。
　したがって、引用例１発明と、本願発明とは、所定のフレーム中の１以上の所定領域に、表示装置を用いて表示させる機械可読情報である点で共通しているといえる。
　しかし、本願発明では、所定のフレームに映像が表示されるのに対し、引用例１発明では、所定のフレームに映像が表示されていない点で相違している。
　また、本願発明では、機械可読情報が複数のドットを所定規則に基づいて配置したものであるのに対し、引用例１発明では、機械可読情報が２次元コードである点でも相違している。
ウ　引用例１発明では、上記イの述べたとおり、「差し入れられるフレーム」（「所定のフレーム」に対応）には、「山と雲の画像」（「映像」に対応）を表示していない。
　したがって、本願発明では、所定領域は所定の画像領域であるのに対して、引用例１発明では、所定領域は所定の画像領域でない点で相違している。
エ　引用例１発明では、「６０フレームに１フレームの割合で、コンテンツ用２次元コード画像データを差し入れられており、差し入れられるフレームには、左下の領域に２次元コードが表示されている」。
　ここで、引用例１発明の「６０フレームに１フレームの割合」が本願発明の「所定のフレーム間隔で、所定のフレーム数だけ」に対応している。
　また、引用例１発明の「２次元コード」と、本願発明の「機械可読ドットパターン」とは、機械可読情報である点で共通しており、互いに対応しているといえる。
　したがって、引用例１発明と本願発明とは、機械可読情報は、所定のフレーム間隔で、所定のフレーム数だけ表示される点で共通しているといえる。
　しかし、本願発明では、機械可読情報が複数のドットを所定規則に基づいて配置したドットパターンであるのに対し、引用例１発明では、機械可読情報が２次元コードである点で相違している。
（２）一致点、相違点
　　上記（１）ア〜エによると、両者は、以下の点で一致し、また、相違している。
［一致点］
「所定のフレーム中の１以上の所定領域に、表示装置を用いて表示させる機械可読情報であって、
前記機械可読情報は、所定のフレーム間隔で、所定のフレーム数だけ表示される
機械可読情報。」
［相違点１］本願発明では、所定のフレームに映像が表示されるのに対し、引用例１発明では、所定のフレームに映像が表示されていない点。
［相違点２］本願発明では、機械可読情報が複数のドットを所定規則に基づいて配置したドットパターンであるのに対し、引用例１発明では、機械可読情報が２次元コードである点。
［相違点３］本願発明では、所定領域は所定の画像領域であるのに対して、引用例１発明では、所定領域は所定の画像領域でない点。
３．判断
［相違点２について］
　事案に鑑みて、相違点２から検討する。
　二次元コードとして、最も一般的なＱＲコードも、例えば引用文献２の図５にも示されるように、複数のドットを所定規則に基づいて配置されたドットパターンであるといえる。また、本願の明細書で先行技術文献として記載されており、本願の出願前に刊行された特許第３７０６３８５号公報および特許第３７７１２５２号公報のいずれにも、複数のドットを所定規則に基づいて配置されたドットパターンが二次元コードとして記載されている。
　したがって、引用例１発明においても、機械可読情報として、２次元コードに代えて、ＱＲコードや、特許第３７０６３８５号公報や特許第３７７１２５２号公報に記載の複数のドットを所定規則に基づいて配置されたドットパターンを採用して、本願発明と同様に、複数のドットを所定規則に基づいて配置したドットパターンとすることは、当業者が容易に想到し得たものである。
［相違点１について］
　引用例１には、図５などにおいて、コンテンツ画像に重畳させてコンテンツ用２次元コード「コードna」を表示させることが記載されており、また、段落０１２４には、画像表示装置としてテレビジョンを対象としても良い旨記載されている。
　
　したがって、引用例１発明において、機械可読情報を表示する際に、テレビジョン放送の映像をコンテンツ画像として表示したフレームに機械可読情報を重畳させる構成を採用して、本願発明と同様に、映像が表示される少なくとも所定のフレーム中に複数のドットを所定規則に基づいて配置されたドットパターンを表示させる構成とすることは、本願の出願日前に当業者が容易に想到し得たものである。
［相違点３について］
　引用例１には、図５などにおいて、山と雲の画像を含むコンテンツ画像の山の画像領域にコンテンツ用２次元コード「コードna」を表示させることが記載されている。
　したがって、引用例１発明において、機械可読情報を表示する際に、差し入れられるフレームにおいても、山と雲の画像を含むコンテンツ画像の山の画像領域に表示させる構成を採用して、本願発明と同様に、所定領域を所定の画像領域とすることは、当業者が容易に想到し得たものである。
　
　また、本願発明の効果についてみても、上記構成の採用に伴って、当然に予測される程度のものに過ぎず、格別顕著なものがあるとは認められない。
　したがって、本願発明は、引用例１に記載された発明に基づいて、当業者が容易に発明をすることができたものである。
第４ むすび
　以上のとおり、本願発明は、引用例１に記載された発明に基づいて、当業者が容易に発明をすることができたものであるから、特許法第２９条第２項の規定により特許を受けることができない。
　したがって、その余の請求項に係る発明について論及するまでもなく、本願は拒絶すべきものである。
　よって、結論のとおり審決する。